(57)【要約】【課題】マンホール内に簡便に設置して更生管をマンホールから既設の排水管内に円滑に案内することができる管体引込み装置および管体引込み方法を提供する。【解決手段】可撓性を有する合成樹脂管を、マンホールからそのマンホールに接続されている既設の排水管内に引き込むための引込み装置であって、上記マンホール内で排水管に向けて配置される本体フレーム２と、本体フレームに設けられ、マンホール内に降下される合成樹脂管を排水管内に案内するガイド部３ａ〜３ｄと、本体フレームに伸縮可能に設けられ、マンホールの内壁を押圧して本体フレームを解除可能に固定する固定機構８を備えてなることを特徴とする。【選択図】図２
2012047033.tif 000002
【特許請求の範囲】
【請求項１】
可撓性を有する管体を、マンホールからそのマンホールに接続されている既設の排水管内に引き込むための引込み装置であって、
上記マンホール内で上記排水管に向けて配置される本体フレームと、
上記本体フレームに設けられ、上記マンホール内に降下される上記管体を上記排水管内に案内するガイド部と、
上記本体フレームに伸縮可能に設けられ、上記マンホールの内壁を押圧して上記本体フレームを解除可能に固定する固定機構を備えてなることを特徴とする管体引込み装置。
【請求項２】
上記固定機構として、上記本体フレームに設けられた支持体と、その支持体からマンホールの直径方向に伸縮し、伸張した場合は上記マンホールの内壁を押圧し、収縮した場合は上記マンホールの内壁から離間する伸縮部品を有する請求項１に記載の管体引込み装置。
【請求項３】
上記支持体がマンホールの直径方向に配置され、上記伸縮部品として、その支持体に沿ってスライド移動する可動部と、この可動部と上記記支持体とを連結しているリンク機構とを有する請求項２に記載の管体引込み装置。
【請求項４】
上記伸縮部品として、上記支持体から伸縮するボールねじを有する請求項２に記載の管体引込み装置。
【請求項５】
上記ガイド部として、上記本体フレームに設けられ、上記マンホール内に降下される上記管体の上面と接触して転動するローラを有する請求項１または２に記載の管体引込み装置。
【請求項６】
上記ローラが上記管体案内方向において複数段配置されている請求項５に記載の管体引込み装置。
【請求項７】
上記ガイド部として、上記管体の外周下部を支承して上記管体を摺動させる、そり状に配設された複数の棒状部材をさらに有する請求項１または２に記載の管体引込み装置。
【請求項８】
請求項１〜７のいずれか１項に記載の管体引込み装置をマンホール内に配置し、
上記固定機構によって上記管体引込み装置を上記マンホール内に固定し、
上記管体を上記マンホールの上部開口から挿入し、
挿入した上記管体を上記ガイド部を介して移動させることにより、排水管に案内し、
案内された上記管体を排水管内に挿入することを特徴とする管体引込み方法。
【発明の詳細な説明】
【技術分野】
【０００１】
本発明は、老朽化した下水管等の排水管を補修する際に使用される管体引込み装置およびそれを用いた管体引込み方法に関するものである。
【背景技術】
【０００２】
土中に埋設され長い年月を経た下水管が老朽化することによって耐荷能力や止水能力が低下すると、道路が陥没したり流下能力が不足するという問題が生じてくる。
【０００３】
これを解消する方法として、老朽化した下水管の内部に新たな排水管を形成する排水管補修方法が提案され実施されている。
【０００４】
各種の排水管補修方法が存在する中で例えば製管方法では、マンホール内に帯状の硬質塩化ビニル材を供給し、既設管の入口部分でその帯状の硬質塩化ビニル材を製管機によって管状に形成しながら既設管に挿入していく。
【０００５】
また、図９に示すように、既設下水管の内径よりも小さい外径からなる樹脂管、いわゆる更生管を予め製造し、マンホールから下水管内に挿入する方法も知られている。
【０００６】
詳しくは、可撓性を有する更生管５０を回転ドラム５１から繰り出し、更生管５０が可撓性を有することを利用してマンホール５２を通じて下水管５３の一方から挿入し、下水管５３の他方側からウインチ５４で引き取るという方法である（例えば、特許文献１参照）。
【０００７】
なお、図中、５５は更生管５０の先端に取り付けられるキャップであり、５６はそのキャップ５５に接続されたワイヤである。
【先行技術文献】
【特許文献】
【０００８】
【特許文献１】特開２００２−３８５８１号公報
【発明の概要】
【発明が解決しようとする課題】
【０００９】
特許文献１の方法によれば、前者の製管方法のような製管機を必要としないため工法が簡単になる反面、既に管体として製造されている更生管５０を狭いマンホール５２を通じて下水管５３内に引き込まなければならないため、引き込み作業が困難であるという問題がある。
【００１０】
更生管５０の引き込み作業を支援するため、通常、マンホール５２には、更生管５０の引き込みを容易にするためのローラ５７付きの引込み治具５８が固定される。しかしながら、その引込み治具５８をマンホール５２内に設置するには、マンホール５２側壁に貫通穴を穿設してボルトを植設し、引込み治具５８に設けた固定用穴にそのボルトを挿通させてナットで固定する作業が必要になる。このように、引込み治具５８を使用すると、新たに工程が増えることになり、更生管５０の引き込み作業は依然として簡便に行えなかった。
【００１１】
本発明は以上のような従来の更生管引き込み作業における課題を考慮してなされたものであり、マンホール内に簡便に設置して更生管をマンホールから既設の排水管に円滑に案内することができる管体引込み装置および管体引込み方法を提供することにある。
【課題を解決するための手段】
【００１２】
本発明は、可撓性を有する管体を、マンホールからそのマンホールに接続されている既設の排水管内に引き込むための引込み装置であって、
上記マンホール内で上記排水管に向けて配置される本体フレームと、
上記本体フレームに設けられ、上記マンホール内に降下される上記管体を上記排水管内に案内するガイド部と、
上記本体フレームに伸縮可能に設けられ、上記マンホールの内壁を押圧して上記本体フレームを解除可能に固定する固定機構を備えてなる管体引込み装置である。
【００１３】
本発明において、上記固定機構として、上記本体フレームに設けられた支持体と、その支持体からマンホールの直径方向に伸縮し、伸張した場合は上記マンホールの内壁を押圧し、収縮した場合は上記マンホールの内壁から離間する伸縮部品を有することができる。
【００１４】
本発明において、上記支持体がマンホールの直径方向に配置され、上記伸縮部品として、その支持体に沿ってスライド移動する可動部と、この可動部と上記記支持体とを連結しているリンク機構とを有することができる。
【００１５】
本発明において、上記伸縮部品として、上記支持体から伸縮するボールねじを有することができる。
【００１６】
本発明において、上記ガイド部として、上記本体フレームに設けられ、上記マンホール内に降下される上記管体の上面と接触して転動するローラを有することができる。
【００１７】
本発明において、上記ローラは上記管体案内方向において複数段配置することができる。
【００１８】
本発明において、上記ガイド部として、上記管体の外周下部を支承して上記管体を摺動させる、そり状に配設された複数の棒状部材をさらに有することができる。
【００１９】
本発明は、上記構成を有する管体引込み装置をマンホール内に配置し、
上記固定機構によって上記管体引込み装置を上記マンホール内に固定し、
上記管体を上記マンホールの上部開口から挿入し、
挿入した上記管体を上記ガイド部を介して移動させることにより、排水管に案内し、
案内された上記管体を排水管内に挿入する管体引込み方法である。
【発明の効果】
【００２０】
本発明によれば、マンホール内に簡単に設置することができ、更生管をそのマンホールから排水管内に円滑に案内することができる管体引込み装置および管体引込み方法を提供することができる。
【図面の簡単な説明】
【００２１】
【図１】本発明に係る引込み装置が適用される排水管構造を示す縦断面図である。
【図２】本発明の引込み装置の全体構成を示す斜視図である。
【図３】図２のガイド部とガイド輪の配置を示す正面図である。
【図４】(ａ)は引込み装置の平面図、(ｂ)は側面図、(ｃ)は右正面図である。
【図５】(ａ)は引込み装置に設けられた治具固定装置の固定解除状態を示す斜視図、(ｂ)は固定状態を示す斜視図である。
【図６】本発明に係る引込み装置をマンホール内に固定した状態を示す斜視図である。
【図７】本発明の第２実施形態を示す側面図である。
【図８】本発明の第３実施形態を示す斜視図である。
【図９】従来の管体引込み方法を示す説明図である。
【発明を実施するための形態】
【００２２】
以下、図面に示した実施の形態に基づいて本発明を詳細に説明する。
【００２３】
１．引込み装置が適用される排水管構造
図１は、本発明の管体引込み装置（以下、引込み装置と略称する）が適用される排水管構造を示した縦断面図である。
【００２４】
同図において、土中に複数本埋設される排水管（下水管）５３は通常、コンクリート製管からなり、各排水管５３は、排水経路に配設されたマンホール５２および５９の下部に設けられた開口部５２ａおよび５９ａにそれぞれ接続されている。
【００２５】
なお、本実施形態では左側のマンホール５２から老朽化した排水管５３内に、可撓性を有する管体としての更生管を挿入する場合を例に取り説明する。
【００２６】
排水管５３を更生するにあたってその排水管５３を点検する場合、まず、その内部にカメラを挿入し、亀裂が発生しているかどうか調査が行われる。調査した結果、亀裂が発生しており補修の必要があれば、補修準備として排水管５３内を高圧洗浄水で洗浄する。なお、図中、６０は洗浄水が他の排水管内に入ることを防止するための止水栓である。
【００２７】
次に、更生管を引き込むための準備としてマンホール５２内に引込み装置を設置する。
【００２８】
２．引込み装置
図２は引込み装置の全体構成を示す斜視図である。
【００２９】
２．１  本体フレーム
同図において、引込み装置１は、平面から見て窓枠状に形成された本体フレーム２を有している。なお、この本体フレーム２において、更生すべき排水管に向けて配置される側をフレーム前側２ａと呼び、その反対側をフレーム後側２ｂと呼ぶ。
【００３０】
フレーム前側２ａの前板２ｃには円弧状の切欠きが形成されており、その切欠きに沿って円弧状の鍔部２ｄが設けられている。この鍔部２ｄは、排水管５３の内壁に対し部分的に当接することにより引込み装置１の位置決めをするようになっている。
【００３１】
前板２ｃの左右両側にはマンホールの内壁周面に沿うことができるアール部２ｅ，２ｅが縦方向に設けられており、前板２ｃの左右両側をマンホール５２の内壁に当接させることができるようになっている。
【００３２】
また、本体フレーム２の側壁にはフランジ部２ｈが形成されており、このフランジ部２ｈから高さ調整用のボルト（図示しない）を垂下させれば、マンホール５２の底面から所定の高さに本体フレーム２を配置することができる。
【００３３】
２．２  ガイド部
フレーム後側２ｂには、更生管を排水管に案内するための複数のガイド部３ａ〜３ｄが固定されている。複数のガイド部３ａ〜３ｄは下向き凸に湾曲するパイプ（棒状部材）によって構成されており、更生管の下面を支承して更生管を摺動させることができるように全体として「そり」の形態に構成されている。
【００３４】
フレーム後側２ｂの後板２ｆには車輪４を備えた脚部４ａが設けられている（図４(ｂ)参照）。この脚部４ａは後板２ｆに設けられた水平軸（図示しない）を中心として矢印Ａ方向に揺動することができるように構成されている。
【００３５】
また、本体フレーム２の中間部にはフレーム幅方向にシャフト５が架設されており、そのシャフト５にはローラとしてのガイド輪５ａ，５ｂが離間した状態で設けられている。
【００３６】
なお、フレーム中間部には垂直方向にスリット２ｇが設けられており、このスリット２ｇを介して上記シャフト５がナット５ｃによって固定されている。すなわち、ナット５ｃを緩めれば、シャフト５をスリット２ｇ長さの範囲内で昇降させることができ、それにより、ガイド輪５ａ，５ｂとガイド部３ａ〜３ｄとの間隔を調整することができるようになっている。
【００３７】
上記ガイド部３ａ〜３ｄおよびガイド輪５ａ，５ｂは、マンホール内に降下される更生管ＲＰを排水管方向に案内するガイド部として機能する。
【００３８】
図３は、上記ガイド部３ａ〜３ｄと上記ガイド輪５ａ，５ｂの配置を正面から示したものである。
【００３９】
同図において、各ガイド部３ａ〜３ｄは、更生管ＲＰの外周下部に沿うことができるように円弧に配列されており、一方、ガイド輪５ａ，５ｂは更生管ＲＰの外周上部を押えることができるように配置されている。
【００４０】
詳しくは、ガイド輪５ａ，５ｂは、裾部が円錐状に拡がっているテフロン（登録商標）製のローラからなり、更生管ＲＰの外周上部の二か所に部分的に接触し、更生管ＲＰを排水管５３内に引き込む際に更生管ＲＰの浮き上がりを防止するようになっている。
【００４１】
上記ガイド部３ａ〜３ｄおよびガイド輪５ａ，５ｂによって囲まれる空間は、更生管を通過させるための通路として機能する。
【００４２】
図４(ａ)は上記引込み装置１の構成を示す平面図、同図(ｂ)はその側面図、同図(ｃ)はその右正面図である。
【００４３】
図４(ａ)〜(ｃ)において、ガイド部３ａ〜３ｄの上部は接続フレーム６によってフレーム幅方向に接続されており、その接続フレーム６からフレーム前側２ａに向けてアーム７が延設されている。
【００４４】
このアーム７はガイド部３ａ〜３ｄとの間に、遊びを持たせた状態で更生管ＲＰを通すことができる程度にＵ字状に折り曲げ加工されたパイプからなり、アーム７の両端７ａ，７ｂは接続フレーム６の各側壁６ａ，６ｂから突出している水平軸９に枢支されている。
【００４５】
したがって、アーム７は上記水平軸９まわりに揺動することができるようになっている。
【００４６】
このアーム７の先端部７ｃに後述する引込み装置固定機構８が設けられている。
【００４７】
なお、接続フレーム６の後板６ｃについてもアール部６ｄが設けられており、後板６ｃをマンホールの側壁に密着させることができるようになっている。
【００４８】
上記アール部６ｄにスペーサを１または複数枚設ければ、マンホール内壁に対し後板６ｃを当接しやすくなる。
【００４９】
２．３  引込み装置固定機構
図５は引込み装置固定機構（以下、固定機構と略称する）８を拡大して示した側面図であり、同図(ａ)は固定を解除した状態を示し、同図(ｂ)は固定状態を示している。
【００５０】
両図において、固定機構８は、アーム７の先端部７ｃからフレーム前側２ａに向けて延設された外筒部（支持体）８ａとこの外筒部８ａに入れ子式に挿入される内筒部（可動部）８ｂとを有している。
【００５１】
内筒部８ｂは外筒部８ａよりも長く形成されており、内筒部８ｂの後部には更生管ＲＰが接触してもその更生管ＲＰの引き込み動作を阻害しないように円弧状の滑り板８ｃが取り付けられている。
【００５２】
また、内筒部８ｂの先端には雌ねじ部が設けられており、その雌ねじ部に六角頭付きボルト８ｄが螺合されている。この雄ねじ部を締める方向または緩める方向に回転させることにより、六角頭付きボルト８ｄの突出量を調整することができるようになっている。なお、突出量が調整された六角頭付きボルト８ｄはナット８ｅで固定される。
【００５３】
また、内筒部８ｂの前側端部を上から覆うようにして断面コ字状の可動片８ｆが配置されている。
【００５４】
この可動片８ｆの前端部８ｇは内筒部８ｂを幅方向に貫通する軸８ｈに枢支されており、可動片８ｆの後端部は一対のリンク８ｊを介して外筒部８ａの側壁に連結されている。
【００５５】
可動片８ｆは軸８ｈを支点として矢印Ｂ方向に揺動し、可動片８ｆと外筒部８ａはリンク８ｊを介して連結され、外筒部８ａは固定であるため、可動片８ｆの上面に立設された操作レバー８ｉを矢印Ｃ方向に操作すると、Ｌ字形に曲っていた可動片８ｆおよびリンク８ｊが、図５(ｂ)に示すように略直線に変位し、内筒部８ｂが外筒部８ａをガイドとしてその外筒８ａの端部から矢印Ｄ方向に伸張する。
【００５６】
これとは逆に、操作レバー８ｉを元の姿勢に戻すと、可動片８ｆおよびリンク８ｊがＬ字形に折り曲がり内筒部８ｂが外筒部８ａをガイドとして縮小する。上記可動片８ｆおよびリンク８ｊはリンク機構を構成している。
【００５７】
なお、上記内筒部８ｂおよびそれを移動させる可動片８ｆ、リンク８ｊ、操作レバー８ｉは伸張した場合はマンホールの内壁を押圧し、縮小した場合はマンホールの内壁から離間する伸縮部品として機能する。
【００５８】
２．４  更生管
更生管ＲＰは、直管部と、その直管部の外壁に螺旋状に形成された突条部とを有し、上記直管部はさらに下巻軟質樹脂層と上巻軟質樹脂層とその両樹脂層の間に介設された網状補強材とから構成されている。
【００５９】
下巻および上巻軟質樹脂層は、耐薬品性に優れた熱可塑性樹脂、例えば塩化ビニル樹脂，ポリオレフィン樹脂や、例えばオレフィン系、スチレン系の熱可塑性エラストマー等から成形することができ、網状補強材は下巻軟質樹脂層と上巻軟質樹脂層が管状に成形される際に両樹脂層の間に挟み込まれる。
【００６０】
この網状補強材は、更生管ＲＰの一方端から他方端まで通っているため管軸方向の引っ張りに対して対抗するようになる。
【００６１】
また、突条部は耐薬品性に優れた熱可塑性樹脂、例えば塩化ビニル、ポリオレフィン樹脂等から構成することができる。
【００６２】
また、上記更生管ＲＰの突条部は螺旋状に形成したものに限らず、リング状に形成したものであってもよい。
【００６３】
３．引込み装置の固定方法
図６において、マンホール５２の内側底部には通常、排水管５３と連通するインバート５２ｂが形成されている。
【００６４】
クレーンを使用し、引込み装置１を傾斜させた姿勢で吊り下げ、マンホール５２内にゆっくりと降ろす。この際、車輪４を矢印Ｅ方向に引き出し、マンホール５２の側壁にその車輪４を当てることにより、引込み装置１を滑らかに降ろす。
【００６５】
上記インバート５２ｂの向きに引込み装置１を一致させる。詳しくは、本体フレーム２の前側２ａを排水管５３に対向させ、インバート５２ｂとガイド部３ａ〜３ｄの向きとを一致させる。
【００６６】
次いで、フレーム前側２ａの鍔部２ｄを排水管５３内に挿入する。
【００６７】
次いで、アーム７を略水平姿勢になるように引き上げる。
【００６８】
この状態で固定機構８の操作レバー８ｉを矢印Ｃ方向に倒し、図５（ｂ）に示したように、外筒部８ａをガイドとして内筒部８ｂを矢印Ｄ方向に伸張させ、六角頭付きボルト８ｄをマンホール５２の側壁に強く押し付ける。
【００６９】
それにより、固定機構８の反対側に位置する接続フレーム６の後板６ｃがマンホール５２の側壁に押圧される。
【００７０】
その結果、後板６ｃの左右両側に設けられている一対のアール部６ｄ（図４(ａ)参照）と六角頭付きボルト８ｄとの３点によって引込み装置１はマンホール５２内に安定した状態で固定される。
【００７１】
４．更生管の引込み
次に、本発明の引込み装置１を用いた更生管ＲＰの引き込み方法について図６を参照しながら説明する。
【００７２】
なお、説明に際してはマンホール５２から排水管５３に更生管ＲＰを引き込む場合を例に取り説明する。
【００７３】
引込み装置１を上述した方法でマンホール５２に固定した後、更生管ＲＰをマンホール５２の上部開口から引き込む。
【００７４】
引き込みにあたっては、更生管ＲＰの先端に予め引込み用のキャップ１０を取り付け、そのキャップ１０に対し他方側のマンホール５９（図１参照）から引込んだワイヤ１１を接続するものとする。上記ワイヤ１１はマンホール５９側に設置した図示しないウインチを駆動させることによって巻き取る。
【００７５】
ワイヤ１１によって引っ張られマンホール５２内を降下する更生管ＲＰの先端は、ガイド部３ａ〜３ｄとアーム７とによって囲まれた空間に案内される。
【００７６】
更生管ＲＰは、ガイド部３ａ〜３ｄにその下面を支持されながらガイド部３ａ〜３ｄの湾曲に沿って移動しその向きを次第に水平方向に変更する。
【００７７】
このとき、ガイド輪５ａ，５ｂは、更生管ＲＰの上面と接触しながら転動し、更生管ＲＰの浮き上がりを防止する。
【００７８】
フレーム前側２ａの鍔部２ｄは排水管５３内に挿入されているため、水平方向に向きを変えた更生管ＲＰは排水管５３内に円滑に案内される。
【００７９】
なお、更生管ＲＰの引き込みが完了すると、操作レバー８ｉを矢印Ｃ方向と逆方向に戻すだけで引込み装置１の固定を解除することができる。
【００８０】
５．本発明に係る引込み装置の第２の実施形態
図７は本実施例の第２実施形態を示したものであり、底面に凹部１０ａを形成したマンホール１０で使用する引込み装置の構造である。
【００８１】
下部フレーム１３は、平面視すると、十文字形状を構成し、その一方端の外周縁部に、横スライドボルト１３ｂを設置し、この横スライドボルトでマンホール１０への当接を行う。さらに、この当接を確実に行うために、凹部１０ａの側壁１０ｂに、板状のストッパー１３ａが下部フレーム１３に溶接されている。
【００８２】
下部フレーム１３の中央部に立設したガイド輪１４付きのフレーム１７を、高さ調整ボルト１２を介して、高さ調整を行う。なお、この高さ調整ボルト１２は、中央部に限定されず、排水管（図示しない）の開口部から近い位置に設ける。
【００８３】
複数の外ガイド部１１及び内ガイド部１１aは、上述した実施形態と同様に、「そり」の形態に構成されている。
なお、この外ガイド部１１及び内ガイド部１１ａは、フランジ補強板１９を介して、複数箇所において、溶接固定されており、強度の安定性を図る。
【００８４】
フランジ１８は、外ガイド部１１及びフレーム１７に溶接固定されている。
【００８５】
外ガイド部１１及び内ガイド部１１ａの上部には、方形状のアーム１５が水平方向で固定されている。そして、この両端には、雄ネジ部１５ｂを形成し、この雄ネジ部１５ｂにボルト１５ａを介して、フレームストッパー１５ｃが、接続されている。なお、この雄ネジ１５ｂを締める又は緩める動作により、フレームストッパー１５ｃが、マンホール１０の内側に、当接又は離間される。上記アーム１５およびボルト１５ａは固定機構として機能する。
【００８６】
管体としての管１６は、マンホール１０の上部より挿入され、外ガイド部１１及び内ガイド部１１ａに沿って、開口部１０ｃより引き込む。
【００８７】
６．本発明に係る引込み装置の第３の実施形態
６．１  本体フレーム
図８に示す第三の引込み装置２０は本体フレーム２１を有し、その本体フレーム２１の前側には、複数用意されている前板（支持体）２１ａの中から選択された前板２１ａが脱着可能に接続されている。
【００８８】
その前板２１ａの下部には円弧状の切欠き２１ｂが形成され、その切欠き２１ｂに沿って円弧状の鍔部２１ｃが設けられている。この鍔部２１ｃは、排水管５３（図１参照）の内壁上部に対し部分的に当接することにより引込み装置２０の位置決めをするようになっている。また、鍔部２１ｃは更生管ＲＰを円滑に排水管内に案内できるよう側面から見た断面は先下がりに形成されている。
【００８９】
更生管ＲＰの径に応じて適切な前板２１ａを取り替えることにより、更生管ＲＰを円滑にインバートの底面と鍔部２１ｃとに当接させ、最小の曲げ半径で更生管ＲＰを排水管内に引き込むことが可能になる。
【００９０】
本体フレーム２１の側壁２１ｄの下部にはフランジ部２１ｅ（手前側のみ図示）が形成されており、これらのフランジ部２１ｅの前側および後側にそれぞれナット２２が固定されている。
【００９１】
これらのナット２２にアジャスタボルト２３が螺合しており、それらのアジャスタボルト２３を垂直軸まわりに回転させると、マンホール５２（図１参照）の底面から所定の高さに且つ水平に、本体フレーム２１を配置することができる。
【００９２】
また、本体フレーム２１の後部は、水平に配置された２枚の接続板２１ｆによって接続されている。
【００９３】
これらの接続板２１ｆには、下向き凸に湾曲した筒状のガイド部２６ａ、２６ｂが取り付けられており、更生管ＲＰの下部を支承して排水管の方向に向けてガイドするようになっている。なお、ガイド部２６ａとガイド部２６ｂは連結部２６ｃを介して接続されており、ガイド部２６ａをガイド部２６ｂから取り外すことができるようになっている。
【００９４】
本体フレーム２１をマンホール内にスリング等で吊り下げ、設置するような場合には、ガイド部２６ａがマンホール内壁に衝突しないようにガイド部２６ａを取り外すことができる。
【００９５】
なお、図中、２７は把手部であり、本体フレーム２１をマンホール内に設置する際に、その把手部２７を把持することで本体フレーム２１を簡単に移動させることができる。
【００９６】
６．２  ガイド輪
本体フレーム２１の前側上部には一対のブラケット２１ｇ，２１ｇが設けられている。
【００９７】
２つのブラケット２１ｇ，２１ｇの間にはフレーム幅方向にシャフト２４が架設されており、そのシャフト２４にはローラとしてのガイド輪２５ａ，２５ｂが離間した状態で設けられている。
【００９８】
本体フレーム２１の側壁２１ｄにはブラケット取付孔２１ｈが複数箇所設けられており、垂直方向および水平方向へブラケット２１ｇを移動させることができるようになっている。このようにブラケット２１ｇを移動させることにより、ガイド輪２５ａ，２５ｂの位置調整が可能になり、最小の曲げ半径でしかも更生管ＲＰに対し過度な負荷を与えることなく引込みを行うことができる。
【００９９】
上記ガイド輪２５ａ，２５ｂは、更生管ＲＰを排水管入口に案内するガイド部として機能するようになっている。詳しくは、ガイド輪２５ａ，２５ｂは、裾部が円錐状に拡がっているテフロン（登録商標）製のローラからなり、更生管ＲＰの外周上部について円周方向二か所に部分的に接触するようになっている。
【０１００】
それにより、更生管ＲＰを排水管５３内に引き込む際に、上記ガイド部２６ａ、２６ｂと協働して、更生管ＲＰの向きを排水管入口方向に向けることができ、ガイド輪２５ａ，２５ｂは更生管ＲＰの浮き上がりを防止するようになっている。
【０１０１】
なお、上記実施形態では本体フレーム２１に１組みのガイド輪を設けたが、更生管ＲＰをガイドする方向にガイド輪を複数組み設けることもできる。
【０１０２】
６．３  固定機構
固定機構２８は、矢印Ｆ方向にまたはその逆方向に伸縮し得る押圧板２８ａを有している。
【０１０３】
この押圧板２８ａは、プレート２８ｂに設けられた支点２８ｃを中心として矢印Ｇ方向に若干、揺動することができ、マンホールの躯体内壁に密着させることができるようになっている。
【０１０４】
上記プレート２８ｂは平行に配置された２本のガイドピン２８ｄの先端に固定されており、これらガイドピン２８ｄは前板２１ａに設けられた軸受け２８ｅによって摺動するようになっている。
【０１０５】
プレート２８ｂの中央部にはボールねじ（伸縮部品）２８ｆの先端が連結されており、そのボールねじ２８ｆに後端に設けられた操作部２８ｇを、時計まわりまたは反時計まわりに回転させることにより、押圧板２８ａを矢印Ｆ方向またはその逆方向に移動させることができるようになっている。
【０１０６】
また、本体フレーム２１の後部を接続している接続板２１ｆの中央にも、本体フレーム２１の後部をマンホール内壁に固定する固定部２９が備えられている。
【０１０７】
この固定部２９は、円弧状の固定板２９ａと、この固定板２９ａを接続板２１ｆに接続するための接続金具２９ｂを備えており、固定板２９ａはその接続金具２９ｂに設けられた支点部２９ｃを介して垂直軸まわりに若干、揺動（矢印Ｈ方向）できるようになっている。
【０１０８】
また、本体フレーム２１の前側に設けられた上板２１ｉの中央には水準器３０が設けられている。
【０１０９】
６．４  更生管の引込み
次に、上記引込み装置２０を用いた更生管ＲＰの引き込み方法について説明する。
【０１１０】
引込み装置２０をマンホール５２内に降ろし、凹部１０ａ（図７参照）近傍の段部に、アジャスタボルト２３の下端を据え、水準器３０を見ながら各アジャスタボルト２３を垂直軸まわりに回転させることにより、本体フレーム２１の姿勢を水平にする。このとき、固定板２９をマンホール内壁に接触させておく。
【０１１１】
次に、操作部２８ｇを時計回りに回転させることにより、押圧板２８ａをマンホール内壁に押し付けていく。それにより、本体フレーム２１がマンホール内壁に固定される。
【０１１２】
次に、更生管ＲＰをマンホール５２の上部開口から引き込む。
【０１１３】
ワイヤによって引っ張られマンホール５２内を降下する更生管ＲＰは、まず、ガイド部２６ａ、２６ｂに支承されて、その方向を排水管の方向に向け、次に、ガイド輪２５ａ，２５ｂと接触し、それらガイド輪２５ａ，２５ｂが転動することにより、浮き上がりが防止された状態で排水管５３内に案内される。
【０１１４】
更生管ＲＰの引き込みが全て完了すると、操作部２８ｇを反時計方向に回転させることにより、本体フレーム２１の固定が解除され、引込み装置２０をマンホールから取り出すことができる。
【符号の説明】
【０１１５】
１    引込み装置
２    本体フレーム
２ａ  フレーム前側
２ｂ  フレーム後側
２ｃ  前板
２ｄ  鍔部
２ｅ  アール部
２ｆ  後板
２ｇ  スリット
３ａ〜３ｄ  ガイド部
４    車輪
４ａ  脚部
５    シャフト
５ａ，５ｂ  ガイド輪
５ｃ  ナット
６    接続フレーム
６ａ，６ｂ  側壁
６ｃ  後板
６ｄ  アール部
７    アーム
７ａ，７ｂ  両端
７ｃ  先端部
８    固定機構
８ａ  外筒部
８ｂ  内筒部
８ｃ  滑り板
８ｄ  六角頭付きボルト
８ｅ  ナット
８ｆ  可動片
８ｇ  前端部
８ｈ  軸
８ｉ  操作レバー
８ｊ  リンク
【図１】
2012047033.tif 000003
【図３】
2012047033.tif 000004
【図５】
2012047033.tif 000005
【図９】
2012047033.tif 000006
【図２】
2012047033.tif 000007
【図４】
2012047033.tif 000008
【図６】
2012047033.tif 000009
【図７】
2012047033.tif 000010
【図８】
2012047033.tif 000011